(57)【要約】【課題】弯曲形状のヒーター管を容易に製造する。しかも、密封管の形状が変化してもその内部に入れる管内ユニット体Ｕを共用することもできる。【解決手段】耐熱繊維糸の紐状体１の外表面を炭素繊維糸２で、巻付けて、可撓性発熱体１１を形成する。この可撓性発熱体１１を密封管１０の内部へ、内蔵する。【選択図】  図１
2004335350.tif 000002
【特許請求の範囲】
【請求項１】
耐熱繊維糸の紐状体（１）と、該紐状体（１）の外表面に密に外嵌させた炭素繊維糸（２）と、をもって可撓性発熱本体（１１）を形成し、さらに、該可撓性発熱本体（１１）の両端部（１１ａ）（１１ａ）の各々に、金属製コイル（４）を密に外嵌させて上記炭素繊維糸（２）の各端部（２ａ）に緊密に接触させ、かつ、該コイル（４）の外端（４ａ）を電気的に電極（７）に接続して、管内ユニット体（Ｕ）を構成し、該管内ユニット体（Ｕ）を、複数の保持リング（９）…を介して密封管（１０）内の軸心（Ｌ）に沿って保持して、該密封管（１０）内に内蔵したことを特徴とするヒーター管。
【請求項２】
紐状体（１）が多数の耐熱繊維糸を編んで構成されている請求項１記載のヒーター管。
【請求項３】
炭素繊維糸（２）が螺旋状又は網状に紐状体（１）の外表面に巻付けられている請求項１又は２記載のヒーター管。
【請求項４】
密封管（１０）が弯曲形状であり、保護リング（９）がフェルト材から成る請求項１，２又は３記載のヒーター管。
【発明の詳細な説明】
【０００１】
【発明の属する技術分野】
本発明は、遠赤外線を発するヒーター管に関する。
【０００２】
【従来の技術】
従来のこの種の遠赤外線ヒーターとして、ハロゲンランプヒーターの熱を反射盤に反射させるものが知られている（例えば、特許文献１参照）。ハロゲンランプは、電源入力時の突入電流が定格電流の数倍近くもあって、過電流対策を必要とした。
そこで、次のような二種類のカーボンヒーターが一般的に用いられるようになってきた。即ち、第一のものは、炭素粒を圧縮成型して、棒状カーボンヒーターとして、これを密閉された石英管（密封管）に入れ、その両端から電極を突出させた構造のものであるが、このような上記棒状カーボンヒーターは曲げられない───非可撓性───ので、ヒーター管の形状を直管以外の弯曲形状とすることが難しく、又は、予め決められた弯曲形状以外の弯曲形状に流用できないという問題があった。
【０００３】
第２のものは、炭素をスポンジ（海綿）状に加工し、細長い形に分割したカーボンヒーター３を、石英管（密封管）に入れたものである。しかしながら、このスポンジ状炭素の気泡分布が不均等となり易く、ヒーター管の発熱分布が不均等となって、消費電力を正確にコントロールすることが難しく、また、異なる形のヒーター管を揃えることが難しいといった問題がある。
【０００４】
【特許文献１】
特開２００２−２２１８５号公報
【０００５】
【発明が解決しようとする課題】
上述のように、従来の二種類のヒーター管は、棒状カーボンヒーター、又は、スポンジ状カーボンヒーターを備えていたが、一旦、その全体形状を設定すると、その形状以外の製品に変更することが困難であった。
【０００６】
【課題を解決するための手段】
そこで、本発明に係るヒーター管は、耐熱繊維糸の紐状体と、該紐状体の外表面に密に外嵌させた炭素繊維糸と、をもって可撓性発熱本体を形成し、さらに、該可撓性発熱本体の両端部の各々に、金属製コイルを密に外嵌させて上記炭素繊維糸の各端部に緊密に接触させ、かつ、該コイルの外端を電気的に電極に接続して、管内ユニット体を構成し、該管内ユニット体を、複数の保持リングを介して密封管内の軸心に沿って保持して、該密封管内に内蔵した構成である。
また、紐状体が多数の耐熱繊維糸を編んで構成されている。また、炭素繊維糸が螺旋状又は網状に紐状体の外表面に巻付けられている。また、密封管が弯曲形状であり、保護リングがフェルト材から成る。
【０００７】
【発明の実施の形態】
以下、図示の実施の形態に基づき、本発明を詳説する。
図１の一部破断正面図、及び、図２のその要部を示す拡大断面図に於て、１は耐熱繊維糸から成る紐状体であり、その紐状体１の外表面に密に炭素繊維糸２が巻付けられ（外嵌され）、この紐状体１と炭素繊維糸２とをもって、可撓性発熱本体１１を形成する。紐状体１は、石英ガラス、石綿、セラミック等の５本〜  １００本の多数の耐熱繊維糸を編んで、横断面略円形に形成したもの、又は、単にストレート状又は撚り状の多数の耐熱繊維糸を束ねたものとする。
【０００８】
そして、炭素繊維糸２は、図２のように螺旋状に一重に巻付けられ、又は、図１と図３に示すように、Ｘ字状に交叉するように二重以上に螺旋に巻付けられる。若しくは、（図１と図３に於て、）炭素繊維糸２を網状に編んで外嵌しても良い。
【０００９】
図２又は図３に於て、上記可撓性発熱本体１１の両端部１１ａ，１１ａの各々に、金属製コイル４を密に外嵌───巻付け───して、端部１１ａの炭素繊維糸２の端部２ａに緊密に接触させ、かつ、このコイル４の外周側から圧着固定スリーブ５をカシメ等で圧着して固定する。このコイル４の外端４を、電気的に電極７に接続する。即ち、電極プレート６に、ハンダ等でコイル４の外端４ａを固着（接続）し、プレート６に電極７の内端をハンダ等で固着（接続）している。
【００１０】
このように、両端各々の電極連接部位１３は、コイル４、スリーブ５、プレート６及び電極７から成る場合を図２に示す。コイル４の巻設部───外端４ａへの延伸部４ｂを除いた部分───の軸心方向幅寸法は、３〜８ｍｍとする。上記圧着固定スリーブ５がコイル４を外側から強く包囲しており、炭素繊維糸２とコイル４の間の電気的導通性及び耐久性は、安定して良好である。
【００１１】
図３に於て、図２の圧着固定スリーブ５の代わりに、（金型内に注入して固化させた）炭素ブロック８を用いて、コイル４を固着している。この図３のようにすれば、導電性と耐久性は安定して良好である。
図２又は図３に於て、９は孔付き平ワッシャ状の保持リングであり、１０は石英ガラス等から成る密封管であり、横横断面円形のこの密封管１０の軸心Ｌに沿って、可撓性発熱本体１１を、複数の上記保持リング９を所定ピッチで配設することで、保持する。
【００１２】
このように、紐状体１と炭素繊維糸２とから成る可撓性発熱本体１１と、金属製コイル４と、図２の圧着固定スリーブ又は図３の炭素ブロック８、電極プレート６、電極７等をもって、管内ユニット体Ｕを構成する。この管内ユニット体Ｕを、複数の保持リング９…を介して、密封管１０内の軸心Ｌに沿って保持して、ユニット体Ｕを密封管１０内に内蔵している。
【００１３】
図１では密封管１０の全体形状は、馬蹄形であり、これ以外円形や楕円形、及び、その他の形状（ストレート状を含む）であっても自由であるが、特に弯曲形状である場合にも、保持リング９…によって、軸心Ｌに一致するように、発熱本体１１───ユニット体Ｕ───が保持される。発熱本体１１は可撓性を有するので、密封管１０の形状にかかわらず、発熱本体１１が柔軟に自由自在に対応した形状に、保ち得る。
【００１４】
保持リング９はフェルト材が好ましいが、耐熱性のある他の材質や組成としても良い。この保持リング９の内周面は、炭素繊維糸２（及び紐状体１）に接触し、外周面は、密封管１０の内周面に接触し、これによって、保持リング９は、可撓性発熱本体１１の固定・保持の役割、及び、炭素繊維糸２の放熱（散熱）の役割を果たす。
【００１５】
製法について説明すると、両端開口状密封管１０を予め直管（ストレート状）や、弯曲管（異形）に製造しておき、図２又は図３に於て、密封管１０以外の組み立て体───管内ユニット体Ｕ───を別途準備し、上記両端開口状密封管１０内にこの管内ユニット体Ｕを、電極７，７を両端外方へ突出状となるように、挿入する。次に、密封管１０を真空状態に保ち、保護性気体（不活性ガス）を注入してから、両端を図２又は図３のように密閉する。
【００１６】
このように、直管はもちろんのこと、馬蹄形やその他の異形にも、容易に製造が可能である。そして、（発熱する）炭素繊維糸２の長さ、直径、巻付け密度、巻付け本数等を、選定することで、所定の発熱量のヒーター管を容易に製造可能となる。
なお、本発明に係るヒーター管は電子レンジ、オーブントースター、暖房機、冷蔵庫霜取り等の家電や、人体疾患治療機等に、広く適用できる。
【００１７】
【発明の効果】
本発明は上述の構成により以下の著大な効果を奏する。
（請求項１によれば、）発熱本体１１は可撓性を有するので、直管以外の各種弯曲形状のヒーター管をも、容易に製造可能であり、かつ、各種の形状の密封管に対して、挿入される管内ユニット体Ｕを共用することも容易であって、コストダウン及び全体の製造の容易化を、図り得る。
（請求項２によれば、）紐状体１の強度が増大し、細径であっても十分な強度と耐久性を発揮する。
（請求項３によれば、）発熱が長手方向に均等にできる。しかも、紐状体１と共に強度が向上し、適度の可撓性を確保できる。
（請求項４によれば、）保持リング９が確実に管内ユニット体Ｕを軸心Ｌに一致するように保ち、かつ、発熱を妨げない。
【図面の簡単な説明】
【図１】本発明の実施の一形態を示す一部破断正面図である。
【図２】要部拡大断面図である。
【図３】他の実施の形態を示す要部拡大断面図である。
【符号の説明】
１  紐状体
２  炭素繊維系
２ａ  端部
４  金属製コイル
４ａ  外端
７  電極
９  保持リング
１０  密封管
１１  可撓性発熱本体
１１ａ  端部
Ｌ  軸心
Ｕ  管内ユニット体
【図１】
2004335350.tif 000003
【図２】
2004335350.tif 000004
【図３】
2004335350.tif 000005